(57)【要約】【課題】  画像におけるオブジェクトと背景の色が近似している場合や、オブジェクトと背景が白に近い場合であっても、オブジェクトを認識し易くした画像処理装置を提供する。【解決手段】  画像処理装置２において、プリンタドライバ２ｂの構成に、オブジェクト２１とオブジェクト２１の背景２２の色相を認識する色認識機能２ｂ１と、オブジェクト２１とオブジェクト２１の背景２２の色相が近似しているが否かを判断する色近似判断機能２ｂ２と、オブジェクト２１と背景２２の色相に応じてオブジェクト２１の外周を縁取る色相を設定するオブジェクト縁取り色設定機能２ｂ３とを備え、オブジェクト２１と背景２２とが明確に区別できるようにしたことを特徴とする。【選択図】  図２
2006186485.tif 000002
【特許請求の範囲】
【請求項１】
入力されたカラー画像のうちの特定したオブジェクトについて、その外周に沿って縁取り処理を行なうようにした画像処理装置において、
前記縁取り処理を行なう縁取り処理部は、
前記オブジェクトを構成する色相とそのオブジェクトの外周に隣接する背景情報を構成する色相とを認識する色認識機能と、
前記オブジェクトを構成する色相とそのオブジェクトの外周に隣接する背景情報を構成する色相とが近似しているが否かを判断する色近似判断機能と、
前記オブジェクトを構成する色相とそのオブジェクトの外周に隣接する背景情報を構成する色相とに応じて前記オブジェクトの外周を縁取る色相を設定するオブジェクト縁取り色設定機能とを備えたことを特徴とする画像処理装置。
【請求項２】
前記オブジェクト縁取り色設定機能は、前記色近似判断機能により、オブジェクトを構成する色相とそのオブジェクトの外周に隣接する背景情報を構成する色相とが近似する判断された場合に、前記オブジェクトの外周を縁取る色相を黒色に指定する機能を有することを特徴とする請求項１に記載の画像処理装置。
【請求項３】
前記オブジェクト縁取り色設定機能は、前記オブジェクトの外周を縁取る色相を、該オブジェクトを構成する色相の補色とする機能を有することを特徴とする請求項１または２に記載の画像処理装置。
【請求項４】
前記オブジェクト縁取り色設定機能は、前記オブジェクトの外周を縁取る色相を、該オブジェクトの外周に隣接する背景情報を構成する色相の補色とする機能を有することを特徴とする請求項１乃至３のうちの何れか一項に記載の画像処理装置。
【請求項５】
前記縁取り処理部は、オブジェクトの縁取り部の縁取り幅を設定するオブジェクト縁取り幅設定機能を備えたことを特徴とする請求項１乃至４のうちの何れか一項に記載の画像処理装置。
【請求項６】
前記オブジェクト縁取り幅設定機能は、前記縁取り幅を縁取りされるオブジェクトの幅に応じて自動的に設定するようにしたことを特徴する請求項５に記載の有する画像処理装置。
【請求項７】
前記縁取り処理部は、オブジェクトを構成する色相とそのオブジェクトの外周に隣接する背景情報を構成する色相とが近似すると見なすパラメータを設定する近似パラメータ設定機能を備えたことを特徴とする請求項１乃至６のうちの何れか一項に記載の画像処理装置。
【請求項８】
前記縁取り処理部は、オブジェクトを構成する色相に対して、オブジェクトの背景の色相を指定する背景色指定機能を備えたことを特徴とする請求項１乃至７のうちの何れか一項に記載の画像処理装置。
【請求項９】
前記背景色指定機能は、前記画像情報が印字される被記録媒体の印字面の色をオブジェクトの背景色として指定する機能を備えたことを特徴とする請求項８に記載の画像処理装置。
【請求項１０】
前記縁取り処理部は、縁取りするオブジェクトを指定するオブジェクト指定機能を備えたことを特徴とする請求項１乃至９のうちの何れか一項に記載の画像処理装置。
【請求項１１】
請求項１乃至１０のうちの何れか一項に記載の機能により縁取り処理にされたオブジェクトを画像表示手段により表示可能にする機能を有することを特徴とする請求項１乃至１０のうちの何れか一項に記載の画像処理装置。
【発明の詳細な説明】
【技術分野】
【０００１】
本発明は、画像処理装置に係り、特に、画像形成方法に電子写真方式を採用した複写機、プリンタ及びファクシミリ等における画像処理装置に関する
【背景技術】
【０００２】
従来、像形成方法に電子写真方式を採用した複写機、プリンタ及びファクシミリ等の画像形成装置における画像処理は、図７に示すように、出力された画像情報を認識し易くするために、読み取られた画像１３０のオブジェクト１３１が黒色で背景１３２が濃いグレーの場合、オブジェクト１３１の周囲を白色で縁取り部１３３を形成して、オブジェクト１３１が背景１３２に溶け込むことを防いで認識し易くするものが提案されている（特許文献１を参照）。
【特許文献１】特開２００１−２８６８６号公報
【発明の開示】
【発明が解決しようとする課題】
【０００３】
しかしながら、従来の方式では、モノクロ印字しか考慮されていない場合、カラー画像を読み取る際に、例えば、背景が黄色でオブジェクトが黄緑のときは、オブジェクトの周囲を白で縁取りしても、オブジェクトが背景に溶け込んでしまうという問題点が生じる。
【０００４】
本発明は、上記従来の問題点に鑑みてなされたものであって、オブジェクトと背景の色が近似している場合や、オブジェクトと背景が白に近い場合であっても、オブジェクトを認識し易くした画像処理装置を提供することを目的とするものである。
【課題を解決するための手段】
【０００５】
上述した課題を解決するための本発明に係る画像処理装置の各構成は、次の通りである。
【０００６】
請求項１に記載した画像処理装置は、入力されたカラー画像情報のうちの特定したオブジェクトについて、その外周に沿って縁取り処理を行なうようにした画像処理装置において、前記縁取り処理は、前記オブジェクトを構成する色相とそのオブジェクトの外周に隣接する背景情報を構成する色相とを認識する色認識機能と、前記オブジェクトを構成する色相とそのオブジェクトの外周に隣接する背景情報を構成する色相とが近似しているが否かを判断する色近似判断機能と、前記オブジェクトを構成する色相とそのオブジェクトの外周に隣接する背景情報を構成する色相とに応じて前記オブジェクトの外周を縁取る色相を設定するオブジェクト縁取り色設定機能とを備えたことを特徴とするものである。
【０００７】
請求項２に記載した画像処理装置は、請求項１に記載した構成に加えて、前記オブジェクト縁取り色設定機能として、前記色近似判断機能により、オブジェクトを構成する色相とそのオブジェクトの外周に隣接する背景情報を構成する色相とが近似する判断された場合に、前記オブジェクトの外周を縁取る色相を黒色に指定する機能を有することを特徴とするものである。
【０００８】
請求項３に記載した画像処理装置は、請求項１または２に記載した構成に加えて、前記オブジェクト縁取り色設定機能として、前記オブジェクトの外周を縁取る色相を、該オブジェクトを構成する色相の補色とする機能を有することを特徴とするものである。
【０００９】
請求項４に記載した画像処理装置は、請求項１，２または３に記載した構成に加えて、前記オブジェクト縁取り色設定機能として、前記オブジェクトの外周を縁取る色相を、該オブジェクトの外周に隣接する背景情報を構成する色相の補色とする機能を有することを特徴とするものである。
【００１０】
請求項５に記載した画像処理装置は、請求項１乃至４のうちの何れか一項に記載した構成に加えて、前記縁取り処理部の構成に、前記オブジェクトの縁取り部の縁取り幅を設定するオブジェクト縁取り幅設定機能を備えたことを特徴とするものである。
【００１１】
請求項６に記載した画像処理装置は、請求項５に記載した構成に加えて、前記オブジェクト縁取り幅設定機能を、前記縁取り幅を縁取りされるオブジェクトの幅に応じて自動的に設定するようにしたことを特徴するものである。
【００１２】
請求項７に記載した画像処理装置は、請求項１乃至６のうちの何れか一項に記載した構成に加えて、前記縁取り処理部の構成に、前記オブジェクトを構成する色相とそのオブジェクトの外周に隣接する背景情報を構成する色相とが近似すると見なすパラメータを設定する近似パラメータ設定機能を備えたことを特徴とするものである。
【００１３】
請求項８に記載した画像処理装置は、請求項１乃至７のうちの何れか一項に記載した構成に加えて、前記縁取り処理部の構成に、前記オブジェクトを構成する色相に対して、オブジェクトの背景の色相を指定する背景色指定機能を備えたことを特徴とするものである。
【００１４】
請求項９に記載した画像処理装置は、請求項８に記載した構成に加えて、前記背景色指定機能として、前記画像情報が印字される被記録媒体の印字面の色をオブジェクトの背景色として指定する機能を備えたことを特徴とするものである。
【００１５】
請求項１０に記載した画像処理装置は、請求項１乃至９のうちの何れか一項に記載した構成に加えて、前記縁取り処理部の構成に、縁取りするオブジェクトを指定するオブジェクト指定機能を備えたことを特徴とするものである。
【００１６】
請求項１１に記載した画像処理装置は、請求項１乃至１０のうちの何れか一項に記載した構成に加えて、請求項１乃至１０のうちの何れか一項に記載の機能により縁取り処理にされたオブジェクトをディスプレイ等の画像表示手段により表示可能にする機能を有することを特徴とするものである。
【発明の効果】
【００１７】
請求項１乃至１１に記載した発明によれば、入力されたカラー画像情報のうちの特定したオブジェクトについて、その外周に沿って縁取り処理を行なうようにした画像処理装置において、前記縁取り処理として、前記オブジェクトを構成する色相とそのオブジェクトの外周に隣接する背景情報を構成する色相とを認識する色認識機能と、前記オブジェクトを構成する色相とそのオブジェクトの外周に隣接する背景情報を構成する色相とが近似しているが否かを判断する色近似判断機能と、前記オブジェクトを構成する色相とそのオブジェクトの外周に隣接する背景情報を構成する色相とに応じて前記オブジェクトの外周を縁取る色相を設定するオブジェクト縁取り色設定機能とを備えたことで、例えば、グレーの背景に、黒のオブジェクトの場合、縁取りを白や黄色などにすることにより、オブジェクトが背景に溶け込むことを防止し認識し易くすることができる。
【００１８】
また、請求項１〜７に記載の発明で得られる上記共通の効果に加え、各請求項に記載の発明によれば次の効果を得ることができる。
【００１９】
詳しくは、請求項２に記載した発明によれば、前記オブジェクト縁取り色設定機能として、前記色近似判断機能により、オブジェクトを構成する色相とそのオブジェクトの外周に隣接する背景情報を構成する色相とが近似する判断された場合に、前記オブジェクトの外周を縁取る色相を黒色に指定する機能を有することで、例えば、白の背景に黄色のオブジェクトの場合、黒で縁取りすることにより、オブジェクトが背景に溶け込むことを防止し認識し易くすることができる。
【００２０】
請求項３に記載した発明によれば、前記オブジェクト縁取り色設定機能として、前記オブジェクトの外周を縁取る色相を、該オブジェクトを構成する色相の補色とする機能を有することで、オブジェクトが背景に溶け込むことを防止し認識し易くすることができる。
【００２１】
請求項４に記載した発明によれば、前記オブジェクト縁取り色設定機能として、前記オブジェクトの外周を縁取る色相を、該オブジェクトの外周に隣接する背景情報を構成する色相の補色とする機能を有することで、オブジェクトが背景に溶け込むことを防止し認識し易くすることができる。
【００２２】
請求項５に記載した発明によれば、前記縁取り処理部の構成に、前記オブジェクトの縁取り部の縁取り幅を設定するオブジェクト縁取り幅設定機能を備えたことで、例えば、印字は、通常６００ＤＰＩや１２００ＤＰＩであるため、１ドットで縁取りすると縁取りが薄すぎ、十分にオブジェクトが認識できない場合、縁取りする幅を大きくすることにより、オブジェクトを認識し易くすることができる。
【００２３】
請求項６に記載した発明によれば、前記オブジェクト縁取り幅設定機能を、前記縁取り幅を縁取りされるオブジェクトの幅に応じて自動的に設定するようにしたことで、例えば、縁取りの幅がオブジェクトと比較し大きければ、縁取りではなく、反転したように見えてしまうことを防止することができる。
【００２４】
請求項７に記載した発明によれば、前記縁取り処理部の構成に、前記オブジェクトを構成する色相とそのオブジェクトの外周に隣接する背景情報を構成する色相とが近似すると見なすパラメータを設定する近似パラメータ設定機能を備えたことで、プリンタやディスプレイの発色の特性に合わせることを可能にできる。
【００２５】
請求項８に記載した発明によれば、前記縁取り処理部の構成に、前記オブジェクトを構成する色相に対して、オブジェクトの背景の色相を指定する背景色指定機能を備えたことで、文書作成者が、認識しづらいと感じる色のオブジェクトと背景の色の組み合わせだけに、縁取り処理をすることを可能にできる。
【００２６】
請求項９に記載した発明によれば、前記背景色指定機能として、前記画像情報が印字される被記録媒体の印字面の色をオブジェクトの背景色として指定する機能を備えたことで、文字だけ、線だけといった縁取りしたいオブジェクトを選択することを可能にできる。
【００２７】
請求項１０に記載した発明によれば、前記縁取り処理部の構成に、縁取りするオブジェクトを指定するオブジェクト指定機能を備えたことで、例えば、青い記録用紙に、青のオブジェクトを印字する場合などにも対応可能となる。
【００２８】
請求項１１に記載した発明によれば、請求項１乃至１０のうちの何れか一項に記載の機能により縁取り処理にされたオブジェクトをディスプレイ等の画像表示手段により表示可能にする機能を有することで、印字データだけでなく、ディスプレイに表示されたオブジェクトも背景と溶け込むことを防止できる。
【発明を実施するための最良の形態】
【００２９】
以下、本発明を実施するための最良の形態について図面を参照して説明する。
図１、図２は発明を実施する形態の一例であって、図１は本発明の画像処理装置が適応された実施形態に係る画像処理システムの概略構成を示す説明図、図２は前記画像処理システムのブロック図である。
【００３０】
本実施形態は、図１に示すように、主にカラー画像形成装置１、画像処理装置２、ディスプレイ３を接続し、外部に接続されたパーソナルコンピュータ等の画像処理装置２からの印刷ジョブに基づいて、文書データを読み込み、印字データを展開時に、縁取り処理を行い、そのデータを多色画像又は単色画像として記録用紙上に形成したり、外部に接続されたディスプレイ３に表示するようにした画像処理システムＡである。
【００３１】
本実施形態における画像処理システムＡの機能ブロック図について、図２を参照して説明する。
画像処理装置２では、図２に示すように、ワープロや表計算等のアプリケーションプログラム２ａが稼動しており、アプリケーションプログラム２ａでは、文字のフォントデータや図形を表すベクトルデータ等がオブジェクトとして編集されている。
【００３２】
これらオブジェクトが印刷される時は、アプリケーションプログラム２ａからプリンタドライバ２ｂにオブジェクトがその色データとともに転送され、プリンタドライバ２ｂによってオブジェクトはラスタ化処理されてビットマップデータとしてカラー画像形成装置１へ転送される。カラー画像形成装置１は転送されたビットマップデータを印刷する。
【００３３】
また、アプリケーションプログラム２ａによってオブジェクトをディスプレイ３に表示する時は、ディスプレイドライバ２ｃによってオブジェクトはラスタ化処理されてビットマップデータとしてディスプレイ３に転送され表示される。
【００３４】
本願発明の特徴である縁取り処理は、このプリンタドライバ２ｂもしくはディスプレイドライバ２ｃにおけるラスタ化処理の一環として処理される。
【００３５】
ここで、本実施形態による縁取り処理機能について、プリンタドライバ２ｂを例に挙げて詳細に説明する。
図３は、本実施形態に係る画像処理装置におけるプリンタドライバの構成の一例を示す説明図である。
【００３６】
プリンタドライバ２ｂは、図３に示すように、オブジェクトを構成する色相とそのオブジェクトの外周に隣接する背景情報を構成する色相とを認識する色認識機能２ｂ１と、前記オブジェクトを構成する色相とそのオブジェクトの外周に隣接する背景情報を構成する色相とが近似しているが否かを判断する色近似判断機能２ｂ２と、前記オブジェクトを構成する色相とそのオブジェクトの外周に隣接する背景情報を構成する色相とに応じて前記オブジェクトの外周を縁取る色相を設定するオブジェクト縁取り色設定機能２ｂ３とを備えている。
【００３７】
色近似判断機能２ｂ２は、オブジェクトを構成する色相とそのオブジェクトの外周に隣接する背景情報を構成する色相とが近似すると判断された場合に、前記オブジェクトの外周を縁取る色相を黒色に指定する機能を備えている。
【００３８】
オブジェクト縁取り色設定機能２ｂ３は、前記オブジェクトの外周を縁取る色相を、該オブジェクトを構成する色相の補色とする機能と、該オブジェクトの外周に隣接する背景情報を構成する色相の補色とする機能とを備えている。
【００３９】
さらに、プリンタドライバ２ｂは、縁取りの幅を設定するオブジェクト縁取り幅設定機能２ｂ４、記録用紙の色を指定する記録用紙色指定機能２ｂ５、画像の中から目的とするオブジェクトを指定するオブジェクト指定機能２ｂ６、及びオブジェクトを構成する色相と背景を構成する色相に応じて色相の近似度を設定する近似パラメータ設定機能２ｂ７とを備えている。
【００４０】
次に、本実施形態に係る縁取り処理について図面を参照して詳細に説明する。
図４は本実施形態において処理されるオブジェクトの一例を示す説明図、図５は本実施形態に係る画像処理装置により縁取り処理されて出力された画像を示す説明図である。
【００４１】
原稿画像の読み取りに際して、例えば、図４に示すように、処理されるオブジェクト２１の色相と背景２２の色相とが近似している場合、出力される画像においてもオブジェクト２１が背景２２に溶け込み認識し難くなる。
【００４２】
そこで、本実施形態に係るカラー画像処理装置における縁取り処理により、図５に示すように、出力される画像３０のオブジェクト３１の周囲を黒色の縁取り部３３を形成することにより、オブジェクト３１が背景３２に溶け込むことを防止して認識し易くするものである。
【００４３】
以下に、本実施形態に係る縁取り処理についてフローチャートを参照して説明する。
図６は前記画像処理装置における縁取り処理の工程を示すフローチャートである。
図中のＳ１，Ｓ２・・・は各工程（ステップ）を示す。
【００４４】
本実施形態に係る画像処理装置２のプリンタドライバ２ｂによる縁取り処理は、図６に示すように、まず、カラー画像形成装置により画像読み取り動作を開始し（ステップＳ１）、画像読み取り時に縁取り機能を有効にする（ステップＳ２）。
【００４５】
そして、記録用紙色指定機能２ｂ５で記録用紙の色を指定する（ステップＳ３）。
これにより、記録用紙の色が背景の色として設定される。
【００４６】
印字する記録用紙の色は通常白であるが、黄色や赤の場合もあり得る。
しかしながら、通常ＰＣでは、記録用紙の色を認識することができないため、記録用紙の色を指定する必要がある。尚、ＰＣによる記録用紙の色の認識が可能となった場合は、上記に限るものではなく、装置側で自動的に指定するようにしても良い。
【００４７】
次に、オブジェクト指定機能２ｂ６で縁取りをするオブジェクトを指定する（ステップＳ４）。
つまり、オブジェクトの中で、縁取りする対象が文字なのか、直線などの図形なのかを指定する。
【００４８】
次に、縁取りのパラメータを指定する（ステップＳ５）。
指定するパラメータとして、色をパラメータとした場合、
（１）オブジェクト色の補色
（２）背景色の補色
（３）指定した色
等の設定が可能であるが、本実施形態では、オブジェクト縁取り色設定機能２ｂ３で縁取り色を黒色に設定する。
【００４９】
また、本実施形態では、縁取りの幅をパラメータとして、オブジェクト縁取り幅設定機能２ｂ４により縁取り幅を設定する。
【００５０】
１実施例として、縁取りの幅（線の太さ）に対する縁取りの割合や縁取りの幅のドット数など、線の太さが４０ドットで縁取りの線の割合が５％の場合、線の周りを２ドットで縁取りする。尚、計算結果が１ドット以下になった場合は、１ドットで縁取りする。
また、縁取りのドット数を１０と指定すると、線の太さに関係なく線の周りを１０ドットで縁取りするようにする。
【００５１】
次に、色認識機能２ｂ１により認識されたオブジェクトと背景の色に基づき、色近似判断機能２ｂ２によりオブジェクトと背景の色の近似度を自動判別するか否かを設定する（ステップＳ６）。
【００５２】
ここで、オブジェクトの色と背景の色の近似度を自動判別する場合の色の近似度の定義について、例を挙げて説明する。
【００５３】
例えば、オブジェクトを構成する色相と背景を構成する色相を、
オブジェクトの赤成分：object＿r：０〜２５５
オブジェクトの緑成分：object＿g：０〜２５５
オブジェクトの青成分：object＿b：０〜２５５
背景の赤成分：back＿r：０〜２５５
背景の緑成分：back＿g：０〜２５５
背景の青成分：back＿b：０〜２５５
とした場合、赤，緑，青の近似度を、
赤の近似度：kinjido＿r＝|  object＿r  −  back＿r|
緑の近似度：kinjido＿g＝|  object＿g  −  back＿g|
青の近似度：kinjido＿b＝|  object＿b  −  back＿b|
とする。ここで、「  |  |  」は、絶対値を表すものとする。
【００５４】
各色の近似値について、
赤成分について近似色とみなす値：kinji＿r
緑成分について近似色とみなす値：kinji＿g
青成分について近似色とみなす値：kinji＿b
として、
kinjido＿r＜kinji＿r＆kinjido＿g＜kinji＿g＆kinjido＿b＜kinji＿b
の条件を満たした場合に、オブジェクトと背景の色が近いとみなす。
【００５５】
Ｓ６において、オブジェクトの色と背景の色の近似度を自動判別する場合は、近似パラメータ設定機能２ｂ７で近似色とみなす値を設定する。近似色とみなす値は、設定可能とする（ステップＳ７）。
【００５６】
一方、Ｓ６において、オブジェクトの色と背景の色の近似度を自動判別で行なわない場合は、縁取りを行なうオブジェクトの色と背景の色との組み合わせを指定する（ステップＳ８）。例えば、白色と黄色、または黄色と黄緑色というように指定する。
【００５７】
次に、画像処理装置２のハードディスクなどの記憶装置より文書データを読み込む（ステップＳ９）。
【００５８】
そして、上述したオブジェクトの縁取り処理を印字用のデータにビットマップデータとして展開する場合、Ｓ７で設定、またはＳ８で指定したパラメータ（色）によりオブジェクトの周囲を縁取りが行われる（ステップＳ１０，Ｓ１１，Ｓ１２）。
【００５９】
文書データが終了でなければ、Ｓ９に戻り再び印字用のデータに展開する処理が繰り返される（ステップＳ１３）。
【００６０】
印字用のデータの展開を終了する場合は、プリンタへ印字データを転送する（ステップＳ１４）。
【００６１】
以上のような処理工程により、目的のオブジェクトを黒色で縁取ることで、オブジェクトが背景に溶け込むことを防止できる。
【００６２】
尚、ここでは、カラー画像形成装置により出力される記録画像における目的のオブジェクトの縁取りについて説明したが、文字フォント等のオブジェクトをディスプレイ３に表示するように展開する場合も、このプリンタドライバ２ｂと同様にディスプレイドライバ２ｃによる縁取り処理機能によりオブジェクトが背景に溶け込むことを防止できる
【００６３】
以上のように構成したので、本実施形態によれば、プリンタドライバ２ｂに、色認識機能２ｂ１、色近似判断機能２ｂ２及びオブジェクト縁取り色設定機能２ｂ３とを備えたことで、出力された画像３０のオブジェクト３１が縁取り部３３により背景３２から区分けされるので、オブジェクト３１が背景３２に溶け込むことを防止できる。
【００６４】
また、本実施形態によれば、オブジェクト縁取り色設定機能２ｂ３により縁取り部３３の色相を黒色に設定したので、オブジェクト３１の外周部を明確にすることができた。
【００６５】
尚、オブジェクト縁取り色設定機能２ｂ３により設定される縁取り部３３の色相は黒色に限定されるものではなく。その他の色であっても良い。
【００６６】
また、変形例として、オブジェクト縁取り色設定機能２ｂ３により設定される縁取り部の色を、オブジェクトの色の補色としても良い。このように構成することで、オブジェクト３１を明確にすることができる。
【００６７】
さらに、変形例として、オブジェクト縁取り色設定機能２ｂ３により設定される縁取り部の色を、背景の色の補色としても良い。このように構成することで、背景を明確にすることができる。
【００６８】
また、本実施形態によれば、プリンタドライバ２ｂの構成にオブジェクト縁取り幅設定機能２ｂ４を加えて、オブジェクト３１の縁取り幅を自動的に設定するようにしたので、オブジェクトが文字情報の場合に、文章によって文字の太さが違っても、文字の太さに応じて適当な幅で容易に縁取りを行なうことができる。
【００６９】
さらに、本実施形態によれば、プリンタドライバ２ｂの構成に記録用紙色指定機能２ｂ５を加えて、記録用紙の色を指定できるようにしたので、記録用紙の色が変わっても容易に色の設定を行なうことができる。
【００７０】
また、本実施形態によれば、プリンタドライバ２ｂの構成にオブジェクト指定機能２ｂ６を加えて、オブジェクトを指定できるようにしたので、目的のオブジェクトが複数存在しても、それぞれのオブジェクトに応じて縁取り処理することができる。
【００７１】
また、さらに、本実施形態によれば、プリンタドライバ２ｂの構成に近似パラメータ設定機能２ｂ７を加えて、オブジェクトを構成する色相と背景を構成する色相に応じて色相の近似度を設定できるようにしたので、プリンタやディスプレイの発色の特性に合わせて印刷や表示を行なうことができる。
【００７２】
尚、本発明の画像処理装置は、上述した実施形態や変形例に限定されるものではなく、本発明の要旨を逸脱しない範囲内において、種々の構成に変更を加え得ることは勿論である。
【００７３】
例えば、本実施形態の変形例として、図４に示すように、上述したプリンタドライバ２ｂの構成に、オブジェクトの背景の色相を指定する背景色指定機能２ｂ８（２点差線で示す部分）を加えたものであっても良い。
【００７４】
また、背景色指定機能２ｂ８は、画像情報が印字される記録用紙の印字面の色をオブジェクトの背景色として指定するようにしても良い。
【００７５】
このように構成することで、例えば、文書作成者が認識しづらいと感じる色のオブジェクトと背景の色の組み合わせだけに背景色指定機能２ｂ８で背景色を指定することで、区別し易い色で縁取り処理をすることができる。
【００７６】
また、背景色指定機能２ｂ８で、画像情報が印字される記録用紙の印字面の色をオブジェクトの背景色として指定することで、画像情報のうち、文字だけ、線だけといった縁取りしたいオブジェクトを選択することができる。
【００７７】
さらに、本実施形態では、別体で構成した画像処理装置２により画像処理を行なうようにしているが、本発明は、画像処理装置の構成を限定するものではなく、例えば、カラー画像形成装置（プリンタ）や画像形成機能、画像読み取り機能および画像送信機能等を兼ね備えたいわゆる複合プリンタ等に本発明の機能を持たせるように発展させることも可能である。
【図面の簡単な説明】
【００７８】
【図１】本発明の画像処理装置が適応された実施形態に係る画像処理システムの概略構成を示す説明図である。
【図２】前記画像処理システムのブロック図である。
【図３】本実施形態に係る画像処理装置におけるプリンタドライバの構成の一例を示す説明図である。
【図４】本実施形態において処理される画像の一例を示す説明図である。
【図５】前記画像処理装置により縁取り処理されて出力された画像を示す説明図である。
【図６】前記画像処理装置における縁取り処理の工程を示すフローチャートである。
【図７】従来の画像形成装置による画像処理の一例を示す説明図である。
【符号の説明】
【００７９】
１  カラー画像形成装置
２  画像処理装置
３  ディスプレイ
２０，３０  画像
２１，３１  オブジェクト
２２，３２  背景
３３  縁取り部
１１０  画像入力装置
２ｂ１  色認識機能
２ｂ２  色近似判断機能
２ｂ３  オブジェクト縁取り色設定機能
２ｂ４  オブジェクト縁取り幅設定機能
２ｂ５  記録用紙色指定機能
２ｂ６  オブジェクト指定機能
２ｂ７  近似パラメータ設定機能
２ｂ８  背景色指定機能
【図１】
2006186485.tif 000003
【図２】
2006186485.tif 000004
【図３】
2006186485.tif 000005
【図４】
2006186485.tif 000006
【図５】
2006186485.tif 000007
【図６】
2006186485.tif 000008
【図７】
2006186485.tif 000009